(57)【要約】【課題】パンツタイプ使い捨ておむつにおいて、股間部の側部におけるフィット性及び漏れ防止性の改善を図る。【解決手段】上記課題は、吸収体１３の股間部に、前後両側よりも幅の狭い括れ部分１３Ｎが形成されるとともに、内装体１０には、吸収体１３の括れ部分１３Ｎと対応する部分に、吸収体１３を有しない余り部分１９が形成されており、内装体１０の余り部分１９と重なる領域内に内装体１０と外装体２０とが固定されていない非接合箇所３１が前後方向に延在され、この非接合箇所３１の幅方向両側に接合箇所３２が設けられ、内装体１０の非接合箇所３１を幅方向に収縮させる股間フィット弾性部材２７が外装体２０に設けられている、パンツタイプ使い捨ておむつにより解決される。【選択図】図９
2014068850.tif 000002
【特許請求の範囲】
【請求項１】
＜請求項１記載の発明＞
装着者の腹側から股間を通り背側まで延在する外装体と、この外装体の内面に固定された、吸収体を含む内装体とを備え、
前記外装体の腹側の両側縁部と外装体の背側の両側縁部とが接合されることにより、ウエスト開口部及び左右一対の脚開口部が形成された、
パンツタイプ使い捨ておむつにおいて、
前記吸収体の股間部に、前後両側よりも幅の狭い括れ部分が形成されるとともに、前記内装体には、前記吸収体の括れ部分と対応する部分に、吸収体を有しない余り部分が形成されており、
前記内装体の余り部分と重なる領域内に前記内装体と前記外装体とが固定されていない非接合箇所が前後方向に延在され、この非接合箇所の幅方向両側に接合箇所が設けられ、前記内装体の前記非接合箇所を幅方向に収縮させる股間フィット弾性部材が前記外装体に設けられている、
ことを特徴とするパンツタイプ使い捨ておむつ。
【請求項２】
前記内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分と、この自由部分の先端部に前後方向に沿って設けられた弾性部材と、を有する立体ギャザーを、内装体の両側部に備えた、請求項１記載のパンツタイプ使い捨ておむつ。
【請求項３】
前記内装体は、前記吸収体の裏側を覆う液不透過性シートを備えており、この液不透過性シートの側縁部が前記内装体の余り部分まで延在されている、請求項１又は２記載のパンツタイプ使い捨ておむつ。
【請求項４】
前記接合箇所が、前記内装体の余り部分と重なる領域の両側縁部又はその近傍にそれぞれ設けられ、これら接合箇所の間の全体が前記股間フィット弾性部材により収縮される非接合箇所とされている、請求項１〜３のいずれか１項に記載のパンツタイプ使い捨ておむつ。
【請求項５】
前記股間フィット弾性部材により収縮される非接合箇所が、前記内装体の余り部分と重なる領域内に、前記接合箇所を挟んで幅方向に複数設けられている、請求項１〜３のいずれか１項に記載のパンツタイプ使い捨ておむつ。
【請求項６】
前記股間フィット弾性部材により収縮される非接合箇所が、脚周り方向に沿って連続的又は間欠的に設けられている、請求項１〜５のいずれか１項に記載のパンツタイプ使い捨ておむつ。
【請求項７】
前記股間フィット弾性部材により収縮される非接合箇所が、前後方向中間から前後両側に向かうにつれて幅が広くなる形状に形成されている、請求項１〜５のいずれか１項に記載のパンツタイプ使い捨ておむつ。
【発明の詳細な説明】
【技術分野】
【０００１】
本発明は、股間部におけるフィット性及び漏れ防止性を改善したパンツタイプ使い捨ておむつに関する。
【背景技術】
【０００２】
パンツタイプ使い捨ておむつは、装着者の腹側から股間を通り背側まで延在する外装体と、この外装体の内面に固定された、吸収体を含む内装体とを備え、外装体の腹側の両側縁部と外装体の背側の両側縁部とが接合されることにより、ウエスト開口部及び左右一対の脚開口部が形成されているものであり、内装体の表面両側部には身体側に突出する立体ギャザーを備えたものが一般的となっている。
【０００３】
また、パンツタイプ使い捨ておむつにおいては、身体へのフィット性を向上させるために、外装体に、ウエスト部弾性部材、腰回り弾性部材及び湾曲弾性部材等、種々の弾性部材を伸長状態で固定することが行われている（例えば特許文献１、２参照）。ここに、ウエスト部弾性部材は、ウエスト開口部の縁部に、縦方向に間隔を空けて幅方向に沿って複数本平行に配置されているものである。また、腰回り弾性部材は、ウエスト部弾性部材よりも前後方向中央部側の領域に、縦方向に間隔を空けて幅方向に沿って配置されているものである。さらに、湾曲弾性部材は、前身頃及び後身頃の少なくとも一方において、一方のサイドシール部から一方のレッグ開口部に沿って股間部に向かい、股間部を横断し、かつ他方のレッグ開口部に沿って他方のサイドシール部に至るパターンで、湾曲しつつ延在するものである。これら弾性部材は、幅方向中央部における内装体と重なる部分を細かく切断し、内装体の収縮を防止することが一般的である。
【０００４】
また、製造上の理由により、内装体の平面形状は長方形であるものの、股間部におけるフィット性を改善するために、吸収体の股間部を脚周りに沿う括れ形状とすることも良く行われている。
【０００５】
しかしながら、内装体の平面形状が長方形であるために、せっかく吸収体の股間部を括れ形状としても、その括れ部分では内装体の側部が余ることになり、しかもこの余り部分は吸収体が無いことにより薄く低剛性であるため、次のような問題点があった。
【０００６】
すなわち、余り部分は吸収体が無く、薄い部分であるために、尿が流れ込み易く、かつ吸収され難い。その結果、漏れを助長するおそれがある。また、余り部分は低剛性であるために、不規則に変形して股間部におけるフィット性が損なわれたり、立体ギャザーを強く支持できずに股間部における立体ギャザーのフィット性が損なわれたりするおそれもあった。
【先行技術文献】
【特許文献】
【０００７】
【特許文献１】特開２０１１−２０６２６９号公報
【特許文献２】特開２０１０−１４２４９９号公報
【発明の概要】
【発明が解決しようとする課題】
【０００８】
そこで本発明の主たる課題は、上記問題点を解決することにある。
【課題を解決するための手段】
【０００９】
上記課題を解決した本発明は次のとおりである。
＜請求項１記載の発明＞
装着者の腹側から股間を通り背側まで延在する外装体と、この外装体の内面に固定された、吸収体を含む内装体とを備え、
前記外装体の腹側の両側縁部と外装体の背側の両側縁部とが接合されることにより、ウエスト開口部及び左右一対の脚開口部が形成された、
パンツタイプ使い捨ておむつにおいて、
前記吸収体の股間部に、前後両側よりも幅の狭い括れ部分が形成されるとともに、前記内装体には、前記吸収体の括れ部分と対応する部分に、吸収体を有しない余り部分が形成されており、
前記内装体の余り部分と重なる領域内に前記内装体と前記外装体とが固定されていない非接合箇所が前後方向に延在され、この非接合箇所の幅方向両側に接合箇所が設けられ、前記内装体の前記非接合箇所を幅方向に収縮させる股間フィット弾性部材が前記外装体に設けられている、
ことを特徴とするパンツタイプ使い捨ておむつ。
【００１０】
（作用効果）
このように、内装体の余り部分において内装体及び外装体の非接合箇所及び接合箇所を設けるとともに股間フィット弾性部材を外装体に設けると、股間フィット弾性部材の収縮作用によって内装体の余り部分はその非接合箇所がおむつ表面側に襞状に隆起しつつ幅方向に収縮する。つまり、内装体の余り部分は規則的な幅方向収縮変形により、厚みが増加し、剛性が高まり、幅は減少する。その結果、内装体の余り部分は、吸収体が無い割には厚みがあり幅も狭いため、尿が流れ込み難くなり、漏れが発生し難くなる。特に、本発明では内装体の余り部分に襞状の隆起が形成され、これが尿の幅方向移動を阻止するため、漏れ防止効果は一層のものとなる。
また、内装体の余り部分は規則的変形により幅方向に収縮して高剛性となるために、不規則変形によるフィット性の低下が防止されるとともに、内装体の表面の両側部に立体ギャザーを有する場合には、立体ギャザーが強固に支持され、股間に対するフィット性の低下が防止される。
【００１１】
＜請求項２記載の発明＞
前記内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分と、この自由部分の先端部に前後方向に沿って設けられた弾性部材と、を有する立体ギャザーを、内装体の両側部に備えた、請求項１記載のパンツタイプ使い捨ておむつ。
【００１２】
（作用効果）
このような構造の立体ギャザーは、吸収体の括れ部分による支持力の低下の影響を受け易い。よって、本発明はこのような立体ギャザーを有する場合に好適である。
【００１３】
＜請求項３記載の発明＞
前記内装体は、前記吸収体の裏側を覆う液不透過性シートを備えており、この液不透過性シートの側縁部が前記内装体の余り部分まで延在されている、請求項１又は２記載のパンツタイプ使い捨ておむつ。
【００１４】
（作用効果）
このような構造を採用することにより、襞状の隆起内に液不透過性シートが内蔵されるため、襞状の隆起による尿の移動阻止性能がより一層のものとなる。
【００１５】
＜請求項４記載の発明＞
前記接合箇所が、前記内装体の余り部分と重なる領域の両側縁部又はその近傍にそれぞれ設けられ、これら接合箇所の間の全体が前記股間フィット弾性部材により収縮される非接合箇所とされている、請求項１〜３のいずれか１項に記載のパンツタイプ使い捨ておむつ。
【００１６】
（作用効果）
この形態では、内装体の余り部分全体によって一つの高い襞状隆起が形成される。よって、襞状隆起の高さによる尿移動阻止機能を重視する場合に好ましい形態である。また幅方向収縮量を多くできる形態である。
【００１７】
＜請求項５記載の発明＞
前記股間フィット弾性部材により収縮される非接合箇所が、前記内装体の余り部分と重なる領域内に、前記接合箇所を挟んで幅方向に複数設けられている、請求項１〜３のいずれか１項に記載のパンツタイプ使い捨ておむつ。
【００１８】
（作用効果）
この形態では、内装体の余り部分によって襞状隆起が幅方向に複数形成される。よって、襞状隆起の高さよりも数による尿移動阻止機能を重視する場合に好ましい形態である。
【００１９】
＜請求項６記載の発明＞
前記股間フィット弾性部材により収縮される非接合箇所が、脚周り方向に沿って連続的又は間欠的に設けられている、請求項１〜５のいずれか１項に記載のパンツタイプ使い捨ておむつ。
【００２０】
（作用効果）
この形態では、内装体の余り部分によって形成される襞状隆起、及び幅方向収縮により形成される高剛性部がともに脚周りに沿って形成される。よって、脚周りに対するフィット性がより一層のものとなる。
【００２１】
＜請求項７記載の発明＞
前記股間フィット弾性部材により収縮される非接合箇所が、前後方向中間から前後両側に向かうにつれて幅が広くなる形状に形成されている、請求項１〜５のいずれか１項に記載のパンツタイプ使い捨ておむつ。
【００２２】
（作用効果）
この形態では、内装体の余り部分によって形成される襞状隆起が、脚の付け根部の窪みに適合した形状、すなわち前後方向中間部ほど高くかつ狭く、前後両側ほど低くかつ幅広く形成される。よって、脚付け根部の窪みに対するフィット性がより一層のものとなる。
【発明の効果】
【００２３】
以上のとおり、本発明によれば、前述の問題点を解決できる、等の利点がもたらされる。
【図面の簡単な説明】
【００２４】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部平面図（外面側）である。
【図４】図１のＣ−Ｃ断面図である。
【図５】図１のＡ−Ａ断面図である。
【図６】図１のＢ−Ｂ断面図である。
【図７】パンツタイプ使い捨ておむつの装着状態の斜視図である。
【図８】弾性部材のカットパターンを示す平面図である。
【図９】図１のＡ−Ａ断面図（収縮状態）である。
【図１０】展開状態のパンツタイプ使い捨ておむつの要部平面図（外面側）である。
【図１１】展開状態のパンツタイプ使い捨ておむつの要部平面図（外面側）である。
【図１２】展開状態のパンツタイプ使い捨ておむつの要部平面図（外面側）である。
【図１３】展開状態のパンツタイプ使い捨ておむつの要部平面図（外面側）である。
【発明を実施するための形態】
【００２５】
以下、本発明の一実施形態について、添付図面を参照しつつ詳説する。なお、用語「伸長率」は自然長を１００％としたときの値を意味する。また、図中の点模様部分はホットメルト接着剤等の接合手段を示している。
図１〜図７はパンツタイプ使い捨ておむつを示している。このパンツタイプ使い捨ておむつ（以下、単におむつともいう。）は、前身頃Ｆ及び後身頃Ｂをなす外装体２０と、この外装体２０の内面に固定され一体化された内装体１０とを有しており、内装体１０は液透過性表面シート１１と液不透過性裏面側シート１２との間に吸収体１３が介在されてなるものである。製造に際しては、外装体２０の内面（上面）に対して内装体１０の裏面がホットメルト接着剤などの接合手段によって接合された後に、内装体１０および外装体２０が前身頃Ｆ及び後身頃Ｂの境界である縦方向（前後方向）中央で折り畳まれ、その両側部が相互に熱溶着またはホットメルト接着剤などによって接合されてサイドシール部２１が形成されることによって、ウエスト開口部及び左右一対のレッグ開口部が形成されたパンツタイプ使い捨ておむつとなる。
【００２６】
（内装体の構造例）
内装体１０は、図５〜図７に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００２７】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２８】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２９】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
吸収体１３の形状は、股間部に前後両側よりも幅の狭い括れ部分１３Ｎを有する略砂時計状に形成される。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。
【００３０】
内装体１０の両側部には脚周りにフィットする立体ギャザーＢＳが形成されている。この立体ギャザーＢＳは、図５及び図６に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折返しによって二重シートとしたギャザー不織布１５により形成されている。
【００３１】
また、二重シート間には、自由部分の先端部等に細長状ギャザー弾性部材１６が配設されている。ギャザー弾性部材１６は、製品状態において図５に二点鎖線で示すように、弾性伸縮力により吸収体側縁部より突出する不織布部分を起立させて立体ギャザーＢＳを形成するためのものである。
【００３２】
液不透過性裏面側シート１２は、二重シート状のギャザー不織布１５の内部まで進入し、図５に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３３】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材１６としては、図示形態のような糸状の他、ある程度の幅を有するテープ状のものを用いることもできる。
【００３４】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３５】
内装体１０の平面形状は略長方形とされており、その結果として吸収体１３の括れ部分１３Ｎと対応する部分に、吸収体１３を有しない余り部分１９が形成されている。このような余り部分が形成される限り、内装体１０の形状は特に限定されない。
【００３６】
（外装体の構造例）
外装体２０は、図４〜図６にも示されるように、それぞれ上層不織布２０Ａ及び下層不織布２０Ｂ（つまり、この形態では下層不織布が最外側不織布となる）からなる２層構造の不織布シートとされ、上層不織布２０Ａと下層不織布２０Ｂとの間、及び下層不織布２０Ｂをウエスト開口縁で内面側に折り返してなる折り返し部分２０Ｃの不織布間に各種弾性部材が配設され、伸縮性が付与されている。平面形状は、中間両側部にそれぞれレッグ開口部を形成するために形成された凹状の脚回りライン２９により、全体として擬似砂時計形状をなしている。
【００３７】
図示形態の外装体２０においては、弾性部材として、図１〜図３に示される展開形状において、ウエスト開口部近傍２３に配置されたウエスト部弾性部材２４と、前身頃Ｆ及び後身頃Ｂに、縦方向に間隔をおいて幅方向に沿って配置された複数の腰回り弾性部材２５とを有するとともに、前身頃Ｆ及び後身頃Ｂのそれぞれにおいて、腰回り弾性部材群２５とは別に、一方のサイドシール部２１から一方のレッグ開口部に沿って股間部に向かい、股間部を横断し、かつ他方のレッグ開口部に沿って他方のサイドシール部２１に至るパターンで湾曲しつつ延在する、互いに交差することなく間隔をおいて配置された複数本の湾曲弾性部材２６，２８を備えている。これら、弾性部材２４〜２８は、それぞれその延在方向に沿って所定の伸長率で伸長された状態で固定されている。なお、本外装体２０では、脚回りライン２９に沿って前身頃Ｆのサイドシール部から後身頃Ｂのサイドシール部まで連続する、所謂脚回り弾性部材は設けられていない。
【００３８】
ウエスト部弾性部材２４は、前身頃Ｆと後身頃Ｂとが接合されたサイドシール部２１の範囲の内、ウエスト開口縁近傍に縦方向に間隔をおいて配置された複数条の糸ゴム等の細長状弾性部材であり、身体のウエスト部回りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４は、ウエスト部における下層不織布２０Ｂの折り返し部分２０Ｃの不織布間に挟持されているが、上層不織布２０Ａと下層不織布２０Ｂとの間に挟持しても良い。
【００３９】
腰回り弾性部材２５は、サイドシール部２１の内、概ね上部から下部までの範囲に亘り、縦方向に間隔をおいて配置された糸ゴム等の細長状弾性部材であり、前身頃Ｆ及び後身頃Ｂの腰回り部分に夫々幅方向の伸縮力を与え、おむつを身体に密着させるためのものである。なお、ウエスト部弾性部材２４と腰回り弾性部材２５との境界は必ずしも明確でなくてよい。例えば、前身頃Ｆ及び後身頃Ｂに縦方向に間隔をおいて幅方向に配置された弾性部材の内、数は特定できなくても、上部側の何本かがウエスト部弾性部材として機能し、残りの弾性部材が腰回り弾性部材として機能していればよい。
【００４０】
後身頃Ｂにおいて、腰回り弾性部材２５とは別に配設された背側湾曲弾性部材２６は、糸ゴム等の細長状弾性部材であり、所定の曲線に沿って配置されている。背側湾曲弾性部材２６は、一本であっても良いが複数本であるのが好ましく、図示例では５本の糸ゴム等の細長状弾性部材であり、これら背側湾曲弾性部材２６は互いに交差することなく、間隔をおいて配置されている。この背側湾曲弾性部材群２６は、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００４１】
外装体２０の前身頃Ｆにおいて、腰回り弾性部材群２５とは別に配設された腹側湾曲弾性部材２８は糸ゴム等の細長状弾性部材であり、所定の曲線に沿って配置されている。腹側湾曲弾性部材２８は、一本であっても良いが複数本であるのが好ましく、図示例では５本の糸状弾性部材であり、これら腹側湾曲弾性部材２８は、互いに交差することなく、間隔をおいて配置されている。この腹側湾曲弾性部材群２８も、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００４２】
なお、図示例では、前身頃Ｆ及び後身頃Ｂに配置された腰回り弾性部材２５及び湾曲弾性部材２６，２８は、図８及び図９に示すように、製造時に外装体に対して連続的に固定した後に、内装体と重なる部分の一部または全部が、所定の切断パターンＣＰで細かく切断されて収縮力が作用しない非収縮部分（つまり、図８及び図９の切断パターンＣＰと重なる部分）とされ、この非収縮部分より側方に湾曲しつつ延在する部分が収縮力の作用する収縮部分（つまり、図８及び図９の切断パターンＣＰより側方の、腰回り弾性部材２５及び湾曲弾性部材２６，２８が連続的に残された部分）とされている。このため、腰回り弾性部材２５及び湾曲弾性部材２６，２８は、一方側のサイドシール部２１から内装体１０を横切って他方（反対）側のサイドシール部２１まで連続的に設けた後に、内装体と重なる部分の一部または全部が、細かく切断される。これにより、内装体（特に吸収体１３）の幅方向の縮こまりをより防止することができる。もちろん、腰回り弾性部材２５及び湾曲弾性部材２６，２８を、内装体１０を横切って連続的に配置することもできる。
【００４３】
上述した外装体２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００４４】
図示例とは異なり、湾曲弾性部材２６，２８を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その縦方向離間範囲９０における最小縦方向離間距離は１０〜１５ｍｍ程度とし、この部分に後述する広幅の固定領域を設けるのが好ましい。
【００４５】
さらに、湾曲弾性部材２６，２８はその全体が湾曲していなくても良く、部分的に直線状の部分を有していても良い。
【００４６】
弾性部材２４〜２８の固定時の伸長率は適宜定めることができるが、通常の成人用の場合、ウエスト部弾性部材２４は２３０〜３２０％程度、腰回り弾性部材２５は２３０〜３２０％程度、湾曲弾性部材２６，２８は２３０〜３２０％程度とすることができる。
【００４７】
（前後押えシート）
図１及び図４にも示されるように、外装体２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００４８】
図示形態のように、前後押えシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、吸収パッド２００と重なる部分まで延在させて、前述の押えシート５０，６０と同等の部分を形成することもできる。
【００４９】
（内装体と外装体との接合、股間フィット弾性部材）
特徴的には、図３に拡大して示すように、内装体１０と外装体２０との接合に際して、内装体１０の余り部分１９と重なる領域内に内装体１０と外装体２０とが固定されていない非接合箇所３１（平面図中点模様の無い白抜き箇所）が前後方向に延在され、この非接合箇所３１の幅方向両側に接合箇所３２（平面図中点模様の箇所）が設けられている。また、この内装体１０の非接合箇所３１を幅方向に収縮させる股間フィット弾性部材２７が外装体２０に設けられている。これにより、図９に示すように、股間フィット弾性部材２７の収縮作用によって内装体１０の余り部分１９はその非接合箇所３１がおむつ表面側に襞状に隆起しつつ幅方向に収縮する。つまり、内装体１０の余り部分１９は規則的な幅方向収縮変形により、厚みが増加し、剛性が高まり、幅は減少する。その結果、内装体１０の余り部分１９は、吸収体１３が無い割には厚みがあり幅も狭いため、尿が流れ込み難くなり、漏れが発生し難くなる。また、襞状に隆起した余り部分１９が尿の幅方向移動を阻止する機能を果たす。しかも、この襞状に隆起した余り部分１９内に液不透過性シートが内蔵されるため、襞状の隆起による尿の移動阻止性能は非常に高い。よって、尿の流れ込み難さと相まって、横漏れ防止性能がより一層のものとなる。さらに、内装体１０の余り部分１９は規則的変形により幅方向に収縮して高剛性となるために、不規則変形によるフィット性の低下が防止されるとともに、内装体１０の表面の両側部に立体ギャザーを有する場合には、立体ギャザーが強固に支持され、股間に対するフィット性の低下が防止される。特に、図示形態の立体ギャザーは、吸収体１３の括れ部分１３Ｎによる支持力の低下の影響を受け易いものであるが、その影響を低減することができる。
【００５０】
内装体１０の非接合箇所３１は、図示例では、幅方向全体が内装体１０の余り部分１９内に収まる寸法・位置とされているが、吸収体１３の側縁部と重なる部位まで幅方向中央側に延在していても良い。よって、幅方向中央側の接合箇所３２は、図示例では内装体１０の余り部分１９内に収まる寸法・位置とされているが、吸収体１３と重なる部位に位置していても良い。また、側方の接合箇所３２は、図示例では外装体２０の側縁部に合わせているが、外装体２０の側縁部から幅方向中央側に離間していても良い。内装体１０の非接合箇所３１の幅寸法は特に限定されないが、通常の場合、内装体１０の余り部分１９の幅の５０〜１００％程度とすることができる。
【００５１】
非接合箇所３１は、内装体１０の余り部分１９の前後方向全体にわたり延在していても良いが、中間部（図示例）、前側、後側等、一部にのみ設けても良い。非接合箇所３１の前後方向長さは適宜定めることができるが、内装体１０の余り部分１９の前後方向長さの５０〜１００％程度とすることができる。
【００５２】
また、非接合箇所３１は前後方向及び幅方向の少なくとも一方において複数個所設けても良い。
【００５３】
これら非接合箇所３１及び接合箇所３２以外の領域の接合パターンは特に限定されないが、図示例では内装体１０の余り部分１９における非接合箇所３１を除き、外装体２０の最小幅と略同じ幅で内装体１０の前後方向全体にわたり内装体１０と外装体２０とが接合されている。このように非接合箇所３１及び接合箇所３２は内装体１０の余り部分１９の外まで連続させることができる。
【００５４】
股間フィット弾性部材２７は、内装体１０の非接合箇所３１を幅方向に収縮させる限りその形状は特に限定されず、シート状や網状の弾性部材を用いることもできるが、図示形態のように、糸ゴム等の細長状弾性部材が縦方向に４〜１２ｍｍ程度の所定の間隔で複数配置される形態は、ウエスト部弾性部材２４や腰回り弾性部材２５と同じ工程で取り付けることができるため、一つの好ましい形態である。また、湾曲弾性部材２６，２８を、内装体１０の余り部分１９を通過させる配置とし、この通過部分を股間フィット弾性部材２７とすることも可能である。通常の場合、股間フィット弾性部材２７に用いる細長状弾性部材としては、太さ４００〜９２５ｄｔｅｘ程度の糸ゴムを用いることができ、これを２５０〜４００％程度伸長した状態で、外装体２０のシート間に固定することが望ましい。
【００５５】
股間フィット弾性部材２７は、図示例では、非接合箇所３１を挟んで一方の接合箇所３２から他方の接合箇所３２まで延在されているが、これに限定されず、非接合箇所３１内に収まる幅としても良い。また、図示形態では、股間フィット弾性部材２７は、吸収体１３と重なる範囲には設けられていない（切断されて収縮力が作用しない）が、吸収体１３の側縁部まで連続させると、吸収体１３を支えとして収縮力が作用する点では好ましいものとなる。また、股間フィット弾性部材２７の幅方向外側の端部は内装体１０の側縁までとしても良いが、図示形態のように内装体１０の側縁よりも外装体２０の側部がはみ出す領域では外装体２０の側縁まで延在させても良い。
【００５６】
図３、図１０〜図１３は、いくつかの好ましい形態を示している。図３に示す形態では、内装体１０の余り部分１９の前後方向中間部において、接合箇所３２が内装体１０の余り部分１９と重なる領域の両側縁部にそれぞれ設けられ、これら接合箇所３２の間の全体が非接合箇所３１とされている。この形態では、図9に示すように、内装体１０の余り部分１９全体によって一つの高い襞状隆起が形成される。よって、襞状隆起の高さによる尿移動阻止機能を重視する場合に好ましい形態である。また幅方向収縮量を多くできる形態である。
【００５７】
また、図１０に示す形態は、股間フィット弾性部材２７により収縮される非接合箇所３１が、脚周り方向に沿って連続的に設けられている形態である。また、図１１に示す形態は、股間フィット弾性部材２７により収縮される非接合箇所３１が、脚周り方向に沿って間欠的に設けられている形態である。このため、図１１に示す形態では、股間フィット弾性部材２７により収縮される非接合箇所３１が、内装体１０の余り部分１９と重なる領域の前後両側では幅方向外側に設けられ（幅方向内側の非接合箇所は収縮しない）、中間では幅方向内側に設けられている。この形態では、内装体１０の余り部分１９によって形成される襞状隆起、及び幅方向収縮により形成される高剛性部がともに脚周りに沿って形成される。よって、脚周りに対するフィット性がより一層のものとなる。
【００５８】
図１２に示すように、股間フィット弾性部材２７により収縮される非接合箇所３１を、接合箇所３２を挟んで幅方向に複数設けることもできる。この形態では、内装体１０の余り部分１９によって襞状隆起が幅方向に複数形成される。よって、襞状隆起の高さよりも数による尿移動阻止機能を重視する場合に好ましい形態である。特に、図１２に示す形態では、内装体１０の余り部分１９の前後方向中間部において、前後両側には幅方向中間に接合箇所３２を設けずに単数の非接合箇所３１を有する領域を形成し、それらの間に複数の非接合箇所３１を有する領域を形成している。これにより、襞状隆起が脚の付け根部の窪みに適合した形状、すなわち前後方向中間部ほど低くかつ幅広く、前後両側ほど高くかつ狭く形成される。
【００５９】
図１３に示す形態は、股間フィット弾性部材２７により収縮される非接合箇所３１が、前後方向中間から前後両側に向かうにつれて幅が広くなる形状に形成されているものである。この形態では、内装体１０の余り部分１９によって形成される襞状隆起が、脚の付け根部の窪みに適合した形状、すなわち前後方向中間部ほど低くかつ幅広く、前後両側ほど高くかつ狭く形成される。よって、脚付け根部の窪みに対するフィット性がより一層のものとなる。
【産業上の利用可能性】
【００６０】
本発明は、上記例のようなパンツタイプ使い捨ておむつにおいて利用できるものである。
【符号の説明】
【００６１】
Ｂ…後身頃、Ｆ…前身頃、１０…内装体、１１…液透過性表面シート、１２…液不透過性裏面側シート、１３…吸収体、１４…包装シート、１５…ギャザー不織布、１６…ギャザー弾性部材、２０…外装体、２０Ｃ…折り返し部分、２１…サイドシール部、２４…ウエスト部弾性部材、２５…腰回り弾性部材、２６，２８…湾曲弾性部材、２６…背側湾曲弾性部材、２７…股間フィット弾性部材、２８…腹側湾曲弾性部材、２９…脚回りライン、１３Ｎ…括れ部分、１９…余り部分、３１…非接合箇所、３２…接合箇所。
【図１】
2014068850.tif 000003
【図２】
2014068850.tif 000004
【図３】
2014068850.tif 000005
【図４】
2014068850.tif 000006
【図５】
2014068850.tif 000007
【図６】
2014068850.tif 000008
【図７】
2014068850.tif 000009
【図８】
2014068850.tif 000010
【図９】
2014068850.tif 000011
【図１０】
2014068850.tif 000012
【図１１】
2014068850.tif 000013
【図１２】
2014068850.tif 000014
【図１３】
2014068850.tif 000015